(57)【要約】【課題】洗濯機の蓋体において、フタの材料を透明もしくは半透明材とした場合に、蓋の全開時及び全閉時に蓋体の裏面に設けた補強リブが見えてしまい、外観を損ねる。【解決手段】洗濯機本体１３の上部に設けた上部枠体１２と、上部枠体１２に開閉自在に配設した蓋体１８とを備え、蓋体１８は、一端を衣類投入口１７の後部側に回転自在に支持された第１の蓋体１８ａと、一端が第１の蓋体１８ａの他端と回転自在に支持された第２の蓋体１８ｂとから構成し、第１の蓋体１８ａおよび第２の蓋体１８ｂの軸支部には、それぞれ先端部に回転軸を有し断面が略Ｌ字形状の第１のフランジ部２２および第２のフランジ部２３を設け、第１のフランジ部には補強する第１の補強リブ２４を設け、第２のフランジ部２３には第１の補強リブ２４の対応位置に第２の補強リブ２５を設けた洗濯機の蓋体としている。【選択図】図１
2005102968.tif 000002
【特許請求の範囲】
【請求項１】
洗濯機本体の上部に設けた上部枠体と、前記上部枠体に開閉自在に配設した蓋体とを備え、前記蓋体は、一端を衣類投入口の後部側に回転自在に支持された第１の蓋体と、一端が第１の蓋体の他端と回転自在に支持された第２の蓋体とから構成し、前記第１の蓋体および第２の蓋体の軸支部には、それぞれ先端部に回転軸を有し断面が略Ｌ字形状の第１のフランジ部および第２のフランジ部を設け、前記第１のフランジ部には補強する第１の補強リブを設け、前記第２のフランジ部には前記第１の補強リブの対応位置に第２の補強リブを設けた洗濯機の蓋体。
【請求項２】
第１の蓋体および第２の蓋体を、透明または半透明とした請求項１記載の洗濯機の蓋体。
【請求項３】
第１の補強リブおよび第２の補強リブの長さを、略均一にした請求項１または２記載の洗濯機の蓋体。
【請求項４】
第１の補強リブおよび第２の補強リブの間隔を、略均等にした請求項１〜３のいずれか１項に記載の洗濯機の蓋体。
【発明の詳細な説明】
【技術分野】
【０００１】
本発明は、衣類投入口の後部側に回転自在に支持された第１の蓋体と、一端が第１の蓋体の他端と回転自在に支持された第２の蓋体とから構成された洗濯機の蓋体に関するものである。
【背景技術】
【０００２】
従来、洗濯機の蓋体は、図５に示すように構成していた。以下、その構成について説明する。
【０００３】
図５に示すように、蓋体１は、一端を軸支部２により上方へ回転自在に軸支して洗濯機本体の上面に設けている。この蓋体１は軸支部２に略並行な軸線３に沿って折りたたみ可能な２枚の蓋体、すなわち、第１の蓋体１ａおよび第２の蓋体１ｂで構成している（例えば、特許文献１参照）。
【０００４】
第１の蓋体１ａの端面には、図６（ａ）に示すように、軸線３に沿って片持支持される複数個の支持軸４を一体に形成し、他方の蓋体１ｂには、図６（ｂ）に示すように、支持軸４を保持する軸受部５を支持軸４と対応する位置に一体に形成している。第１の蓋体１ａおよび第２の蓋体１ｂは、支持軸４を軸受部５に貫通させ、回転自在に連結されている。
【０００５】
また、図７に示すように、第１の蓋体１ａおよび第２の蓋体１ｂの連結部には、それぞれ先端部に支持軸４および軸受部５を有し断面がそれぞれ略Ｌ字形状となる第１のフランジ部６および第２のフランジ部７を設けることで、第１の蓋体１ａおよび第２の蓋体１ｂを閉じた時、表面が面一状態になるように構成している。さらに、第１のフランジ部６および第２のフランジ部７を補強するために、それぞれ第１の補強リブ８および第２の補強リブ９が設けてある。
【特許文献１】実開平５−３９４８９号公報
【発明の開示】
【発明が解決しようとする課題】
【０００６】
しかしながら、従来の構成では、フタを透明もしくは半透明とした場合に、蓋を閉じた状態で第１の補強リブ８および第２の補強リブ９が見えてしまい外観を損ねるという課題を有していた。
【０００７】
そのため第１の補強リブ８および第２の補強リブ９を無くしたり、図８に示すように第１の補強リブ１０および第２の補強リブ１１を蓋の天面に接しないように構成することが多かった。しかし、このような場合には、蓋体の強度が低下したり、略Ｌ字形状の角度が安定せず、角度θが大きくなると蓋を閉じた時に蓋表面が凹形状になり、一方、θが小さくなると凸形状となることから、蓋としての機能を満足に果たせなくなり、美観も損ねることになっていた。
【０００８】
本発明は、前記従来の課題を解決するもので、蓋体の強度を確保し、蓋体を閉じた時に表面が面一状態となり、機能性と外観性に優れた洗濯機の蓋体を提供することを目的とする。
【課題を解決するための手段】
【０００９】
前記従来の課題を解決するために、本発明の洗濯機の蓋体は、一端を衣類投入口の後部側に回転自在に支持された第１の蓋体と、一端が第１の蓋体の他端と回転自在に支持された第２の蓋体とから構成し、前記第１の蓋体および第２の蓋体の軸支部には、それぞれ先端部に回転軸を有し断面が略Ｌ字形状の第１のフランジ部および第２のフランジ部を設け、前記第１のフランジ部には補強する第１の補強リブを設け、前記第２のフランジ部には前記第１の補強リブの対応位置に第２の補強リブを設けたものである。
【００１０】
これにより、第１のフランジ部および第２のフランジ部の略Ｌ字形状の角度が保たれ、蓋体を閉じた時に表面が面一状態となり、また、第１の蓋体と第２の蓋体にまたがって第１の補強リブと第２の補強リブを一体に見せることができるため、外観性にも優れた洗濯機の蓋体にすることができるものである。
【発明の効果】
【００１１】
本発明の洗濯機の蓋体は、強度を保つことができると共に、蓋体を閉じた時に表面が面一状態となり、また、第１の蓋体と第２の蓋体にまたがって第１の補強リブと第２の補強リブを一体に見せることができるため、外観性にも優れた洗濯機の蓋体を提供することができる。
【発明を実施するための最良の形態】
【００１２】
第１の発明は、洗濯機本体の上部に設けた上部枠体と、前記上部枠体に開閉自在に配設した蓋体とを備え、前記蓋体は、一端を衣類投入口の後部側に回転自在に支持された第１の蓋体と、一端が第１の蓋体の他端と回転自在に支持された第２の蓋体とから構成し、前記第１の蓋体および第２の蓋体の軸支部には、それぞれ先端部に回転軸を有し断面が略Ｌ字形状の第１のフランジ部および第２のフランジ部を設け、前記第１のフランジ部には補強する第１の補強リブを設け、前記第２のフランジ部には前記第１の補強リブの対応位置に第２の補強リブを設けたことにより、強度を保つことができると共に、蓋を開けた時に、前記補強リブを一体に見せることができ、外観性に優れた洗濯機の蓋を提供することができる。
【００１３】
第２の発明は、特に、第１の発明の第１蓋体および第２の蓋体を、透明又は半透明とすることにより、蓋を閉じた時にも前記補強リブを一体に見せることができ、より外観性に優れた洗濯機の蓋を提供することができるものである。
【００１４】
第３の発明は、特に、第１および第２の発明における第１の補強リブおよび第２の補強リブの長さを、それぞれ略均一にしたもので、外観性に優れた蓋にできる。
【００１５】
第４の発明は、特に、第１〜３のいずれか１つの発明の第１の補強リブおよび第２の補強リブの間隔を、それぞれ略均等にしたもので、蓋を閉じた時に上方から加わる応力を均等に分散させることができ、さらに強度を向上させることができ、また、外観性に優れた蓋にできる。
【００１６】
以下、本発明の実施の形態について、図面を参照しながら説明する。なお、本実施の形態によって本発明が限定されるものではない。
【００１７】
（実施の形態１）
図１は、実施の形態１における蓋体を有する洗濯機の断面図、図２は、同蓋体の要部断面図、図３は、同蓋体の平面図である。
【００１８】
図１に示すように、上部枠体１２は、洗濯機本体１３の上部を覆い、給水弁１４、給水経路１５、制御装置１６等を収納している。この上部枠体１２の略中央には、衣類の出し入れを行う衣類投入口１７を有し、この穴部１７を開閉自在に覆うように後方支持の蓋体１８を配設している。
【００１９】
蓋体１８は、図２に示すように、第１の蓋体１８ａと第２の蓋体１８ｂとを連結して構成し、軸線１９に沿って折りたたみ可能となっている。第１の蓋体１８ａの前方端面には、軸線１９に沿って片持支持される複数個の支持軸２０を一体に形成し、第２の蓋体１８ｂには、支持軸２０を保持する軸受部２１を支持軸２０と対応する位置に一体に形成している。第１の蓋体１８ａと第２の蓋体１８ｂは、支持軸２０を軸受部２１に貫通させ、回転自在に連結されている。
【００２０】
また、第１の蓋体１８ａおよび第２の蓋体１８ｂの連結部には、それぞれ先端部に支持軸２０および軸受部２１を有し断面がそれぞれ略Ｌ字形状となる第１のフランジ部２２および第２のフランジ部２３を設けることで、第１の蓋体１８ａおよび第２の蓋体１８ｂを閉じた時、表面が面一状態になるように構成している。さらに、第１のフランジ部２２および第２のフランジ部２３を補強するために、それぞれ第１の補強リブ２４および第２の補強リブ２５が設けてある。図３に示すように、第１の補強リブ２４と第２の補強リブは、それぞれ対応する位置に配置している。制御装置１６は、モータ１７、給水弁１４などの動作を制御し、洗濯、すすぎ、脱水の一連の行程を逐次制御するよう構成している。
【００２１】
洗濯、すすぎ、脱水の一連の行程の前後において、使用者が、上部枠体１２の略中央にある衣類投入口１７から衣類の出し入れを行う際に、蓋体１８を開閉させる。この時、第１の補強リブ２４と第２の補強リブ２５が対応する位置に配置していることにより、蓋を開けた時に、第１の補強リブ２４と第２の補強リブ２５を一体に見せることができる。
【００２２】
以上のように本実施の形態においては、第１の補強リブ２４と第２の補強リブ２５が対応する位置に配置しているので、強度を保つことができると共に、外観性に優れた洗濯機の蓋を提供することができる。
【００２３】
（実施の形態２）
第１の蓋体１８ａおよび第２の蓋体１８ｂを、透明又は半透明に形成している。他の構成は、実施の形態１と同様である。
【００２４】
第１の蓋体１８ａおよび第２の蓋体１８ｂを透明又は半透明に形成しているので、使用者は洗濯機の中の様子を確認することができ、使用勝手が向上し、その際、使用者が、蓋体１８の全閉時において、その蓋体１８を見た場合でも、第１の補強リブ２４と第２の補強リブ２５が対応する位置に配置されているので、第１の補強リブ２４と第２の補強リブ２５を一体に見せることができ、より外観性を向上させることができる。
【００２５】
（実施の形態３）
第１の補強リブ２４と第２の補強リブ２５の長さＬを、それぞれ略均一に形成している。他の構成は、実施の形態１と同様である。
【００２６】
第１の補強リブ２４と第２の補強リブ２５の長さＬを略均一にすることで、より外観性を向上させることができる。
【００２７】
（実施の形態４）
図４は、本発明の第４の実施の形態における蓋体の平面図である。第１の補強リブ２４と第２の補強リブ２５の間隔Ｈを略均等にしている。他の構成は、実施の形態１と同様である。
【００２８】
第１の補強リブ２４と第２の補強リブ２５の間隔Ｈを略均等にすることで、上方からの加重に対して壊れにくく、外観性に優れた蓋にできる。
【図面の簡単な説明】
【００２９】
【図１】本発明の実施の形態１における蓋体を有する洗濯機の断面図
【図２】同蓋体の要部断面図
【図３】同蓋体の平面図
【図４】本発明の実施の形態４における蓋体の平面図
【図５】従来の洗濯機の蓋体の平面図
【図６】（ａ）同第１の蓋体の一側面図（ｂ）同第２の蓋体の一側面図
【図７】同蓋体の要部断面図
【図８】同蓋体の要部断面図
【符号の説明】
【００３０】
１２  上部枠体
１３  洗濯機本体
１７  衣類投入口
１８  蓋体
１８ａ  第１の蓋体
１８ｂ  第２の蓋体
２２  第１のフランジ部
２３  第２のフランジ部
２４  第１の補強リブ
２５  第２の補強リブ
【図１】
2005102968.tif 000003
【図２】
2005102968.tif 000004
【図３】
2005102968.tif 000005
【図４】
2005102968.tif 000006
【図５】
2005102968.tif 000007
【図６】
2005102968.tif 000008
【図７】
2005102968.tif 000009
【図８】
2005102968.tif 000010